(57)【特許請求の範囲】
【請求項１】
断熱箱体(12)に開設された開口部(12a)の内周上部および下部に、該開口部(12a)を開閉する引戸(30,32)を摺動自在に支持する上レール枠(42)および下レール枠(44)が配設されると共に、前記断熱箱体(12)内部に断熱的に画成される収納室(20)内を調温し得る調温機構(22)を有するショーケース等において、
前記上レール枠(42)に形成された下向きに開放する溝(42a)内に上下方向に摺動自在に配設されるインナーレール(50)と、
前記上レール枠(42)の内側の対向面で、該上レール枠(42)の下端から略インナーレール(50)の高さ寸法だけ上方の位置に形成され、前記インナーレール(50)を前記溝(42a)内に保持する係止部(42b,42b)と、
前記インナーレール(50)に下向きに開放するよう形成され、前記引戸(30,32)の上部(30a,32a)を挿入状態で摺動自在に支持する摺動溝(50a,50b)と、
前記インナーレール(50)の上端部近傍の前後面に、その長手方向の全長に亘って形成され、前記係止部(42b,42b)に係合保持させる段部(51,51)とから構成した
ことを特徴とするショーケース等の上レール構造。
【請求項２】
前記溝(42a)の内底面とインナーレール(50)の上面とより画成される空間(46)内に、該インナーレール(50)を常には下向きに付勢する弾性部材(48)が配設される請求項１記載のショーケース等の上レール構造。
【請求項３】
前記弾性部材(48)は、スポンジ状物である請求項２記載のショーケース等の上レール構造。
【請求項４】
前記係止部(42b,42b)は、前記インナーレール(50)を挟む前後において上レール枠(42)の全長に亘って夫々形成され、両係止部(42b,42b)にインナーレール(50)が長手方向の全長に亘って当接している請求項１〜３の何れかに記載のショーケース等の上レール構造。
【発明の詳細な説明】
【０００１】
【発明の属する技術分野】
この発明は、調温機能を備えたショーケース等の上レール構造に関し、更に詳細には、引戸構造である引戸の上レール構造の改良に関するものである。
【０００２】
【従来の技術】
一般的に、冷却等の調温機能を備えるショーケース等では、断熱箱体に開設した開口部を、前後２枚の引戸により開閉する構成が採用されている。従来のショーケースにおける引戸の支持構造を図９を参照して説明すれば、飲食品等を収納する収納室２０を内部画成した断熱箱体１２の前部には、前方に開放する矩形状の開口部１２ａが形成されると共に、該開口部１２ａにおける内周上部および下部には、開口部１２ａを開閉する前引戸７２および後引戸７４を摺動自在に支持する上レール枠７８および下レール枠８０が配設されている。上レール枠７８には、前側(室外側)の前引戸７２および後側(室内側)の後引戸７４の上部を夫々差込んだ状態で支持する下向きに開放する前溝７８ａおよび後溝７８ｂが形成されている。なお、両溝７８ａ,７８ｂの開口寸法は、両引戸７２,７４の摺動操作(開口部１２ａの開閉)の容易さを考慮して、各引戸７２,７４の外面(前後面)と、両溝７８ａ,７８ｂの内面(前後の内面)との間に所定の隙間８２が夫々画成されるよう設定してある。
【０００３】
前記ショーケースでは、収納室２０の清掃や各引戸７２,７４の破損等による交換に際して、該引戸７２,７４を上下のレール枠７８,８０から取外す必要がある。この引戸を両レール枠７８,８０から取外す場合を、前引戸７２を例にして説明すれば、図１０に示す如く、一度前引戸７２を持上げて上レール枠７８の前溝７８ａに上部を深く差込んだ状態(図１０(ａ)参照)で、該前引戸７２の下部を下レール枠８０の外側に取出し、その後に前引戸７２の上部を前溝７８ａから下方に引抜くことで、該前引戸７２は上下のレール枠７８,８０から取外される(図１０(ｂ)参照)。このように、前引戸７２(後引戸７４)を上下のレール枠７８,８０から取外す際には、該前引戸７２(後引戸７４)の下端が下レール枠８０を越える必要があるので、前溝７８ａ(後溝７８ｂ)の深さ寸法は、少なくとも下レール枠８０の高さと略同等以上に設定されている。
【０００４】
【発明が解決しようとする課題】
前述したように、従来の引戸を支持する上レール構造では、図９に明確に示す如く、前記両引戸７２,７４を上下のレール枠７８,８０に支持させた状態では、各引戸７２,７４の上部前後に隙間８２が存在すると共に、該引戸７２,７４の上端と各溝７８ａ,７８ｂの内底面との間に大きな空間が存在している。すなわち、この隙間８２や空間を介して収納室２０内の調温された雰囲気が外部に漏れてしまったり、逆に外気が収納室２０内に侵入してしまい、内部雰囲気を適正に保持し得なくなる。また、この場合には内部温度を調整する調温機構に過負荷等の悪影響を与え、運転コストが上昇したり、調温機構自体の寿命が短くなったりする欠点も指摘される。
【０００５】
更に、例えば収納室２０内を冷却しているようなショーケースの場合には、調温機構への着霜量が多くなる等の原因となり、このときには除霜水が大量に発生して処理が困難となる難点もある。
【０００６】
【発明の目的】
本発明は、前述した従来の技術に内在している前記欠点に鑑み、これを好適に解決するべく提案されたものであって、引戸の取付けや取外し等の使い勝手を維持したもとで、内部雰囲気の漏れや外気の侵入を防止し得るショーケース等の上レール構造を提供することを目的とする。
【０００７】
【発明を解決するための手段】
前記課題を克服し、所期の目的を達成するため、本発明に係るショーケース等の上レール構造は、
断熱箱体に開設された開口部の内周上部および下部に、該開口部を開閉する引戸を摺動自在に支持する上レール枠および下レール枠が配設されると共に、前記断熱箱体内部に断熱的に画成される収納室内を調温し得る調温機構を有するショーケース等において、
前記上レール枠に形成された下向きに開放する溝内に上下方向に摺動自在に配設されるインナーレールと、
前記上レール枠の内側の対向面で、該上レール枠の下端から略インナーレールの高さ寸法だけ上方の位置に形成され、前記インナーレールを前記溝内に保持する係止部と、
前記インナーレールに下向きに開放するよう形成され、前記引戸の上部を挿入状態で摺動自在に支持する摺動溝と、
前記インナーレールの上端部近傍の前後面に、その長手方向の全長に亘って形成され、前記係止部に係合保持させる段部とから構成したことを特徴とする。
【０００８】
【発明の実施の形態】
次に、本発明に係るショーケース等の上レール構造につき、好適な実施例を挙げて、以下説明する。なお、実施例では収納室を冷却して飲食品等を冷蔵するショーケースを例に挙げて説明するが、本願はこれに限定されるものでなく、調温機構により収納室を加温して飲食品等を保温するものであってもよい。
【０００９】
図２および図３に示す如く、実施例に係る上レール構造が採用されるショーケース１０は、内装と外装との間にウレタン等の発泡断熱材を充填してなる断熱箱体１２と、この断熱箱体１２が載置されるシャーシ１４とから基本的に構成される。また前記シャーシ１４の内部に画成した機械室には、調温機構２２としての冷凍装置２３および該冷凍装置２３等の制御のため電装箱２４等が収納されている。
【００１０】
前記断熱箱体１２の内部下方には、前記調温機構２２の一部であり、冷凍装置２３から冷媒が循環供給される冷却器２５やファン２６が配設され、該ファン２６の運転により送気される冷気によって、断熱箱体１２に内部画成される収納室２０を冷却するよう構成されている。前記収納室２０の内部には、飲食品等を整列載置する複数の網棚２７が、室内に形成された支持部材２８を介して上下に多段的に配設される。
【００１１】
前記断熱箱体１２の前部には、図３に示す如く、前方に開放する矩形状の開口部１２ａが形成されている。この開口部１２ａの内周上部および下部には、その幅方向の全長に亘って、合成樹脂製の上レール枠４２および下レール枠４４が対応的に配設され、該上レール枠４２に画成される溝４２ａ(後述)には、上下方向に摺動自在にインナーレール５０が配設されている。そして、このインナーレール５０を介して上レール枠４２と下レール枠４４との間に、前引戸３０および後引戸３２が夫々幅方向に摺動自在に支持されて、前記開口部１２ａを開閉し得るよう構成してある。
【００１２】
前記上レール枠４２は、図１に示すように、断熱箱体１２の前面上部に当接して開口部１２ａの上縁から下方に所定長さで垂下する前面上部パネル１６と、該パネル１６の後面から収納室２０内に所定長さで延在して内部上面にネジ止めされる固定部材１７と、前面上部パネル１６から後方に所定間隔離間して固定部材１７に垂設された該パネル１６と平行な上レール部材１８とから基本的に構成される。そして、前面上部パネル１６と上レール部材１８との間に、下向きに開放する所要深さの溝４２ａが画成され、この溝４２ａ内に、前記インナーレール５０が上下方向に摺動可能で、かつ前後(図１の左右方向)に若干の隙間を存して収納されている。このインナーレール５０は、上レール枠４２の長手方向の略全長に亘る長さに設定されると共に、下向きに開放する前摺動溝５０ａおよび後摺動溝５０ｂが、前後に離間して長手方向に沿って平行に形成されている。そして、前摺動溝５０ａに前記前引戸３０の上部３０ａが摺動自在に挿入されると共に、後摺動溝５０ｂに前記後引戸３２の上部３２ａが摺動自在に挿入されるようになっている。また各引戸３０,３２の上端は、その全長に亘って対応する摺動溝５０ａ,５０ｂの内底面に当接するよう設定され、これにより内外の空気の流れを遮断し得るよう構成される。
【００１３】
更に、前記インナーレール５０には、両摺動溝５０ａ,５０ｂの各内側部に、前引戸３０または後引戸３２の前後面に接触して、収納室２０の内外を略密閉状態に維持する突出部５０ｃが夫々長手方向の全長に亘って形成されている。なお、突出部５０ｃの各引戸３０,３２と接触する先端部は、摺動性と密閉性とを両立するために半円弧形状に加工してある。
【００１４】
前記上レール枠４２の溝４２ａを画成する前面上部パネル１６と上レール部材１８との対向する内面(インナーレール５０を挟む前後)に、前記両引戸３０,３２に接しない程度に溝４２ａ内に突出する係止部４２ｂ,４２ｂが、上レール枠４２の長手方向の略全長に亘って形成されている。そして、両係止部４２ｂ,４２ｂに、前記インナーレール５０の前後の下端が、その長手方向の全長に亘って当接支持されて、該レール５０の溝４２ａからの脱落を防止するよう構成される。また、前記溝４２ａの内底面とインナーレール５０の上面とにより画成される空間４６内に、該インナーレール５０を常には下向きに付勢して、前記係止部４２ｂ,４２ｂへの当接状態を保持させる弾性部材４８が配設されている。この弾性部材４８としては、適宜の断熱機能を有するスポンジ状の、例えばポリウレタンフォーム等が好適に使用される。なお、弾性部材４８としては、弾性変形可能なゴムあるいはバネ材等を用いることもできる。また、インナーレール５０を下向きに付勢し得るものであれば、弾性を有しない錘を用いることも可能であるが、インナーレール５０の重量だけでも充分に下向きの付勢力が得られる場合は、弾性部材等を省略することもできる。
【００１５】
前記空間４６の高さは、各引戸３０,３２を上下のレール枠４２,４４から取外す際に、該引戸３０,３２の下端を、下レール枠４４の上端より上方まで持上げられる寸法に設定されている(図４参照)。また前記弾性部材４８は、各引戸３０,３２を持上げる際の妨げとはならない寸法で弾性変形し得るよう設定されている。
【００１６】
前記下レール枠４４には、前後に離間して２本のレール条４４ａ,４４ｂが長手方向の全長に亘って平行に立設され、前引戸３０および後引戸３２は、その下端に形成された下方に開放して長手方向の全長に亘って延在する凹溝３０ｂ,３２ｂを介して、対応のレール条４４ａ,４４ｂに摺動自在に支持されるようになっている(図１参照)。
【００１７】
【実施例の作用】
次に、実施例に係るショーケース等の上レール構造の作用につき説明する。実施例のショーケース１０から前引戸３０を取外す場合、図４に示す如く、前引戸３０を上方に持上げて、その下端を下レール枠４４の上端より上方に位置させる必要がある。このときインナーレール５０は、前記前引戸３０の上部３０ａにより押上げられ、弾性部材４８を弾性変形させて上レール枠４２の溝４２ａ内で後方に若干傾斜しつつ上方に摺動させられる(図４(ａ)参照)。
【００１８】
そして、前記前引戸３０の下部を下レール枠４４から前方に取外した後、該前引戸３０の上部３０ａをインナーレール５０の前摺動溝５０ａより下方に引抜くことで、前引戸３０は完全に取外せる(図４(ｂ)参照)。続いて、ショーケース１０に残っている後引戸３２を同様の手順で取外せば、両引戸３０,３２の取外しは完了する。なお、この取外し手順を逆に行なうことで、前記両引戸３０,３２の取付けも同様に行な得る。このように、両引戸３０,３２の取外しおよび取付けについては、上レール枠４２にインナーレール５０が配設されていても、従来と同様の使い勝手で容易に行なうことができる。
【００１９】
次に、前記上下のレール枠４２,４４に摺動自在に支持された両引戸３０,３２について、図５に示す如く、両引戸３０,３２の上端は、上レール枠４２に配設されているインナーレール５０の前後の摺動溝５０ａ,５０ｂの内底面に接しているから、各引戸３０,３２の上端側から収納室２０の冷気の逃出および外部から内部への外気の侵入は確実に防止される。またインナーレール５０は、その下端が上レール枠４２の係止部４２ｂ,４２ｂに全長に亘って当接するよう前記弾性部材４８で付勢されているから、上レール枠４２とインナーレール５０との間からの冷気の逃出および外気の侵入は防止される。従って、収納室２０内の温度維持が容易となり、前記調温機構２２の負荷が低減し、冷却器２５への着霜量を抑えることができ、運転コスト等の大幅な低減が可能となる。なお、前記弾性部材４８は、インナーレール５０における摺動溝５０ａ,５０ｂの内底面を、両引戸３０,３２の上端に当接させる作用もあるが、両者の当接力は該引戸３０,３２の摺動を妨げる程強くない。
【００２０】
なお実施例では、前記インナーレール５０に複数の突出部５０ｃを設けて、両引戸３０,３２の前後面に対して摺動を許容する状態で当設しているので、より効果的に冷気の逃出および外気の侵入を防止し得るものである。更に、インナーレール５０の上面と溝４２ａの内底面との間の空間４６に、その全長に亘って弾性部材４８を配設することで、該空間４６における空気の流れも略完全に阻止することができる。
【００２１】
【変更例】
前記上レール枠４２に形成される係止部４２ｂ,４２ｂの位置に関しては、該上レール枠４２の下端部以外の位置に設けるようにしてもよい。例えば図６に示すように、上レール部材１８の下端から略インナーレール５０の高さ寸法だけ上方の位置に、該部材１８と前面上部パネル１６の対向面に係止部４２ｂ,４２ｂを形成する。また、インナーレール５０の上端部近傍の前後面に、その長手方向の全長に亘って段部５１,５１を形成し、この段部５１,５１を係止部４２ｂ,４２ｂに保持させる。この場合は、係止部４２ｂ,４２ｂの形成位置を上方に変更しても、インナーレール５０が前面上部パネル１６の下方に露出しないので、見栄えが劣ることはない。しかも、両引戸３０,３２の取外し等を許容する空間４６を確保したもとで、インナーレール５０の上下方向の長さを適宜変更して所望の長さとできるので、ショーケースの大型化に伴って、両引戸３０,３２が大型化して重量が嵩み支持部を大きく取る必要がある場合等に有効である。
【００２２】
また係止部４２ｂ,４２ｂでインナーレール５０の段部５１,５１を保持する構成において、図７に示す如く、前面上部パネル１６の下端を上レール部材１８と同一レベルに設定すると共に、両部材の下端に係止部４２ｂ,４２ｂを形成してもよい。この場合は、インナーレール５０を前面側から直接目視できるので、上下方向への摺動に不具合が発生した時等には、容易に点検が可能になると共に、部材の使用量を低減できるので原料コストを抑える効果も期待できる。
【００２３】
実施例では、前記上レール枠４２として、前面上部パネル１６を一体的に形成したものとしたが、図８に示す如く、前面上部パネル１６とは別体で、下方に向けて開放する溝６０ａを形成した断面略コ字状の上レール枠６０を構成し、該レール枠６０の溝６０ａにインナーレール５０を収納保持するようにしてもよい。この変更例では、上レール枠６０の溝６０ａを画成する前後の垂直片下部内面に、インナーレール５０を保持するための係止部６０ｂ,６０ｂが形成される。
【００２４】
【発明の効果】
以上に説明した如く、本発明に係るショーケース等の上レール構造によれば、上レール枠に設けた溝内にインナーレールを配設することで、引戸の上端を常に接した状態で使用することができ、室内と室外との間での空気移動を遮断し得るので、収納室内の温度維持を容易に行ない得る。すなわち、例えば収納室を冷却するショーケース等の場合には、冷却器等の冷凍機構への負荷が低減し、冷却器への着霜量も減少するので運転コストの大幅な低減が可能となる。
【図面の簡単な説明】
【図１】 本発明の実施例に係る上レール構造を採用したショーケースにおける上下のレール枠を示す要部側断面図である。
【図２】 実施例に係るショーケースを示す正面図である。
【図３】 実施例に係るショーケースを示す縦断側面図である。
【図４】 実施例の前引戸を上下のレール枠から取出す状態を示す工程図である。
【図５】 実施例の上レール枠近傍における空気の流れを示す要部側断面図である。
【図６】 変更例に係る上レール枠を示す要部側断面図である。
【図７】 別の変更例に係る上レール枠を示す要部側断面図である。
【図８】 更に別の変更例に係る上レール枠を示す要部側断面図である。
【図９】 従来の技術に係る上下のレール枠を示す要部側断面図である。
【図１０】 従来の技術に係る前引戸を上下のレール枠から取出す状態を示す工程図である。
【符号の説明】
１２ 断熱箱体，１２ａ 開口部，２０ 収納室，２２ 調温機構
３０ 前引戸，３０ａ 上部，３２ 後引戸，３２ａ 上部，４２ 上レール枠
４２ａ 溝，４２ｂ 係止部，４４ 下レール枠，４６ 空間，４８ 弾性部材
５０ インナーレール，５０ａ 前摺動溝，５０ｂ 後摺動溝
【図１】
0004373519.tif 000002
【図２】
0004373519.tif 000003
【図３】
0004373519.tif 000004
【図４】
0004373519.tif 000005
【図５】
0004373519.tif 000006
【図６】
0004373519.tif 000007
【図７】
0004373519.tif 000008
【図８】
0004373519.tif 000009
【図９】
0004373519.tif 000010
【図１０】
0004373519.tif 000011